(57)【特許請求の範囲】
【請求項１】
装着者の足裏に沿って延在し、スポーツ用シューズ（１）のソール部（３）の一部を構成する板状のベース部（３０）と、
前記ベース部（３０）の表面から突出し地面または床面と接する接触面（３４）を有する複数の凸部（３１）とを備え、
前記凸部（３１）は、第１側壁（３２）と第２側壁（３３）とを有し、
前記第１側壁（３２）は、前記ベース部（３０）に近い側の前記凸部（３１）の幅が前記ベース部（３０）から離れた側の前記凸部（３１）の幅よりも大きくなるように傾斜しており、
前記第１側壁（３２）と、前記ベース部（３０）の表面の垂線とのなす角度である第１角度は、前記第２側壁（３３）と、前記ベース部（３０）の表面の垂線とのなす角度である第２角度よりも大きく、
装着者が前記スポーツ用シューズ（１）を装着して動作を行なった際に、前記凸部（３１）に加わる荷重の向きが前記第１側壁（３２）から前記第２側壁（３３）に向かう方向となるように前記第１側壁（３２）と前記第２側壁（３３）とを配置し、
前記第１側壁（３２）から前記第２側壁（３３）に向かう方向に隣り合う前記接触面（３４）間の間隔（Ｄ）を、前記第１側壁（３２）から前記第２側壁（３３）に向かう方向の前記接触面（３４）の幅である接地幅（Ｗ）の大きさに応じて変化させ、
装着者が前記スポーツ用シューズ（１）を装着して動作を行なった際に前記地面または床面から前記接触面（３４）が受ける力である接触力の方向が前記荷重の向きと反対方向となるように、前記第１角度と、前記接触面（３４）間の間隔（Ｄ）と、前記接触幅（Ｗ）とを調節した、スポーツ用シューズのソール構造。
【請求項２】
前記第１側壁（３２）から前記第２側壁（３３）に向かう方向に隣り合う前記接触面（３４）間の間隔（Ｄ）を、前記第１側壁（３２）から前記第２側壁（３３）に向かう方向の前記接触面（３４）の幅である接触幅（Ｗ）と同じ値あるいはそれらの±０．５ｍｍの範囲内の値とした、請求項１に記載のスポーツ用シューズのソール構造。
【請求項３】
前記第１側壁（３２）から前記第２側壁（３３）に向かう方向に隣り合う前記接触面（３４）間の間隔（Ｄ）と、前記第１側壁（３２）から前記第２側壁（３３）に向かう方向の前記接触面（３４）の幅である接触幅（Ｗ）とを、ともに１ｍｍ以上３ｍｍ以下の範囲内の値とした、請求項１または請求項２に記載のスポーツ用シューズのソール構造。
【請求項４】
前記ベース部（３０）は、爪先側部（１５）と、踵側部（１６）と、装着者の足の第１指側に位置する内側部（１７）と、装着者の足の第５指側に位置する外側部（１８）とを有し、
前記爪先側部（１５）から前記踵側部（１６）に向かう縦方向に前記爪先側部（１５）の先端から前記ベース部（３０）の最大長さの２０％〜４０％の範囲内であって、かつ前記内側部（１７）から前記外側部（１８）に向かう横方向に前記内側部（１７）の端部から前記ベース部（３０）の最大幅の６０％の範囲内の領域に、前記凸部（３１）を設けた、請求項１から請求項３のいずれかに記載のスポーツ用シューズのソール構造。
【請求項５】
前記ベース部（３０）の横方向の中心線と前記凸部（３１）の長手方向とのなす角度が０度〜１２０度となるように複数の前記凸部（３１）を設けた、請求項４に記載のスポーツ用シューズのソール構造。
【請求項６】
前記ベース部（３０）は、爪先側部（１５）と、踵側部（１６）と、装着者の足の第１指側に位置する内側部（１７）と、装着者の足の第５指側に位置する外側部（１８）とを有し、
前記縦方向に前記爪先側部（１５）の先端から前記ベース部（３０）の最大長さの２０％〜５０％の範囲内であって、かつ前記横方向に前記内側部（１７）の端部から前記ベース部（３０）の最大幅の６０％の位置から前記外側部（１８）に達する範囲内の領域に、前記凸部（３１）を設けた、請求項１から請求項４のいずれかに記載のスポーツ用シューズのソール構造。
【請求項７】
前記ベース部（３０）の横方向の中心線と前記凸部（３１）の長手方向とのなす角度が−１３５度〜４５度となるように複数の前記凸部（３１）を設けた、請求項６に記載のスポーツ用シューズのソール構造。
【請求項８】
請求項１から請求項７のいずれかに記載のソール構造を備えた、スポーツ用シューズ。
【発明の詳細な説明】
【技術分野】
【０００１】
本発明は、スポーツ用シューズのソール構造およびスポーツ用シューズに関し、特に、防滑特性に優れたスポーツ用シューズのソール構造および該ソール構造を備えたスポーツ用シューズに関する。
【背景技術】
【０００２】
従来から、スポーツ用シューズの防滑特性を向上すべくソール部の底面形状に様々な工夫が施されている。たとえば、特開２００４−２１６０１９号公報には、防滑特性を向上すべく、ソール部の底面に多数の横筋山を設け、この横筋山の爪先側壁面の傾斜角度θａが踵側壁面の傾斜角度θｂよりも大であり、ハードコート上で摩擦係数を測定したとき、この底面の爪先方向における摩擦係数μａと踵側方向における摩擦係数μｂとの比（μａ／μｂ）が０．３以上０．９以下であるテニスシューズが記載されている。
【特許文献１】特開２００４−２１６０１９号公報
【発明の開示】
【発明が解決しようとする課題】
【０００３】
上記文献に記載のテニスシューズでは、ソール部の底面に設けた横筋山の爪先側壁面と踵側壁面の傾斜角度の関係を規定しているが、あくまで各横筋山の形状にのみ着目したものである。
【０００４】
しかし、本願発明者等が、独自のモデルによる有限要素法（ＦＥＭ）解析を行ない防滑特性に優れたスポーツ用シューズのソール底面の形状について検討したところ、上記文献のようにソール底面の各凸部形状のみに着目しただけでは、十分な防滑特性が得られない場合があることが判明した。
【０００５】
そこで、本発明は、防滑特性に優れたスポーツ用シューズのソール構造および該ソール構造を備えたスポーツ用シューズを提供することを目的とする。
【課題を解決するための手段】
【０００６】
本発明に係るスポーツ用シューズのソール構造は、装着者の足裏に沿って延在し、スポーツ用シューズのソール部の一部を構成する板状のベース部と、該ベース部の表面から突出し地面または床面と接する接触面を有する複数の凸部とを備える。上記凸部は、第１側壁と第２側壁とを有し、第１側壁は、ベース部に近い側の凸部の幅がベース部から離れた側の凸部の幅よりも大きくなるように傾斜しており、第１側壁と、上記ベース部の表面の垂線とのなす角度である第１角度は、第２側壁と、ベース部の表面の垂線とのなす角度である第２角度よりも大きい。そして、装着者がスポーツ用シューズを装着して動作を行なった際に、上記凸部に加わる荷重の向きが第１側壁から第２側壁に向かう方向となるように第１側壁と第２側壁とを配置する。
【０００７】
上記第１側壁から第２側壁に向かう方向に隣り合う接触面間の間隔を、第１側壁から第２側壁に向かう方向の接触面の幅である接触幅の大きさに応じて変化させてもよい。
【０００８】
また、装着者が上記スポーツ用シューズを装着して動作を行なった際に地面または床面から接触面が受ける力である接触力の方向が荷重の向きと反対方向となるように、第１角度と、接触面間の間隔と、接触幅とを調節してもよい。
【０００９】
上記第１側壁から第２側壁に向かう方向に隣り合う接触面間の間隔を、第１側壁から第２側壁に向かう方向の接触面の幅である接触幅と同じ値あるいはそれらの±０．５ｍｍの範囲内の値としてもよい。好ましくは、接触面間の間隔と接触幅とを、ともに１ｍｍ以上３ｍｍ以下の範囲内の値とする。
【００１０】
上記ベース部は、爪先側部と、踵側部と、装着者の足の第１指側に位置する内側部と、装着者の足の第５指側に位置する外側部とを有する。そして、爪先側部から踵側部に向かう縦方向に爪先側部の先端からベース部の最大長さの２０％〜４０％の範囲内であって、かつ内側部から外側部に向かう横方向に内側部の端部からベース部の最大幅の６０％の範囲内の領域に、上記凸部を設けることが考えられる。、また、上記縦方向に爪先側部の先端からベース部の最大長さの２０％〜５０％の範囲内であって、かつ横方向に内側部の端部からベース部の最大幅の６０％の位置から外側部に達する範囲内の領域に、凸部を設けてもよい。
【００１１】
本発明に係るスポーツ用シューズは、上記のようなソール構造を備える。
【発明の効果】
【００１２】
本発明では、装着者の足裏に沿うベース部に設けた凸部の側壁であってベース部表面の垂線に対する傾斜角度が相対的に大きい第１側壁から、傾斜角度が相対的に小さい第２側壁に向かう方向に荷重が作用するように第１側壁と第２側壁とを配置しているので、装着者がスポーツ用シューズを装着して動作を行なった際に上記凸部に作用する横方向の荷重を凸部で受けることができる。その結果、防滑特性を向上することができる。
【発明を実施するための最良の形態】
【００１３】
以下、本発明の実施の形態について図１〜図１１を用いて説明する。図１は、本実施の形態のソール構造を備えたスポーツ用シューズ１の斜視図である。本実施の形態のスポーツ用シューズ１は、バレーボールやバスケットボールのような屋内（たとえば体育館等）で行なうスポーツに有用であるが、テニスのような屋外で行なうスポーツにも使用可能である。特に、平滑な試技面（床面にコーティングを施したり、シートを敷設してもよい）上で行うスポーツに有用である。
【００１４】
図１に示すように、スポーツ用シューズ１は、装着者の足の甲側を覆うアッパー部（甲被部）２と、装着者の足裏の下に配置されるソール部（底部）３とを備える。
【００１５】
アッパー部２は、編物、織物、人造皮革等の各種素材あるいはこれらを組合せた素材を用いて作製可能である。ソール部３は、装着者の足裏に沿って延在し、踵部から中足部を経て爪先部まで延設される。
【００１６】
図１の例では、ソール部３は、ミッドソール３ａとアウトソール３ｂとを備える。ミッドソール３ａは単層構造としてもよいが、複数の層を積層した積層構造としてもよい。また、ミッドソール３ａを省略することも可能である。アウトソール３ｂは、ミッドソール３ａの下面に取付けられるとともに、ミッドソール３ａと同様に、踵部から中足部を経て爪先部まで延設される。このアウトソール３ｂは、底面に、地面または床面と接触する接触面を含む。
【００１７】
上記ミッドソール３ａおよびアウトソール３ｂは、たとえば軟質弾性部材を用いて作製することができる。たとえば、エチレン−酢酸ビニル共重合体（ＥＶＡ）等の熱可塑性樹脂の発泡体、ポリウレタン（ＰＵ）等の熱硬化性樹脂の発泡体、天然ゴムやスチレンブタジエンゴム、ブタジエンゴムなどの合成ゴムの一種または二種以上を添加したゴムや塩化ビニル樹脂、ウレタン樹脂などの合成樹脂のような軟質弾性部材でミッドソール３ａやアウトソール３ｂを作製することができる。また、上記軟質弾性部材と硬質性部材とを組合せてミッドソール３ａやアウトソール３ｂを作製してもよい。
【００１８】
本実施の形態では、アウトソール３ｂの形状に特に工夫を施している。図２に、本実施の形態のアウトソール３ｂの構造例の部分断面図を示す。
【００１９】
図２に示すように、アウトソール３ｂは、装着者の足裏に沿って延在する板状のベース部３０と、該ベース部３０の表面（下面）から突出し、地面または床面と接する接触面３４を有する複数の凸部３１とを備える。
【００２０】
凸部３１は、所定間隔をあけて配列され、それぞれ第１側壁３２と、第２側壁３３と、底部に接触面３４とを有する。第１側壁３２と第２側壁３３は、凸部３１の両側に配置されている。第１側壁３２は、ベース部３０に近い側の凸部３１の幅がベース部３０から離れた側の凸部３１の幅よりも大きくなるようにテーパ状に傾斜している。接触面３４は、地面または床面と接触することが予定されている面であり、典型的には平坦な面で構成されるが、若干の凹凸を設けたり、曲面等の平坦面以外の面で構成してもよい。
【００２１】
図２に示すように、凸部３１の第１側壁３２の傾斜角度と第２側壁３３の傾斜角度は、互いに異ならせている。より詳しくは、第１側壁３２と、ベース部３０の平坦な表面（下面）の垂線とのなす角度である第１角度θ１を、第２側壁３３と、ベース部３０の上記表面の垂線とのなす角度である第２角度よりも大きくしている。したがって、図２に示す断面では、凸部３１は非対称形状を有することとなる。なお、図２の例では、第２側壁３３は、ベース部３０の上記表面に対し垂直（第２角度は０（ゼロ）度）であるが、上記第１角度θ１よりも小さい角度θ２でベース部３０の上記表面の垂線に対し傾斜していてもよい。
【００２２】
本実施の形態では、装着者がスポーツ用シューズ１を装着して動作を行なった際に、上記凸部３１に加わる荷重の向き（横方向成分の向き）が第１側壁３２から第２側壁３３に向かう方向となるように第１側壁３２と第２側壁３３とを配置する。
【００２３】
隣り合う凸部３１間には、間隙を設ける。この間隙の幅は、図２の例では、凸部３１の付根部から接触面３４に向かうにつれて徐々に増大し、隣り合う凸部３１の接触面３４間で最も大きくなる。そして、図２の例では、隣り合う凸部３１の接触面３４間の間隔（以下「リブ間隔」という）Ｄを、接触面３４の幅Ｗ（以下「接触幅」という）と同程度の大きさとしている。
【００２４】
図２に示すアウトソール３ｂの材質としては、たとえばＪＩＳ  Ｋ  ６２５３  Ａ４５〜Ａ８５の硬さの軟質弾性材料を使用する。ここで硬さとは、温度２０±２℃、相対湿度６５±２％の条件下に４時間以上放置したものを、室温２０℃程度の室内にてＪＩＳ  Ｋ  ６２５３規格に準拠した硬度計を用いて計測した場合のものである。望ましくは一般的なシューズとしての耐久性やグリップ性、屈曲性などのバランスを考慮し、ＪＩＳ  Ｋ  ６２５３  Ａ５０〜Ａ７０の硬さを有するものがよい。
【００２５】
アウトソール３ｂのベース部３０の厚みｔは、たとえば１ｍｍ〜２ｍｍ程度であり、凸部３１の高さＨは、たとえば１ｍｍ〜５ｍｍ程度である。
【００２６】
本願発明者等は、図２に示すアウトソール３ｂが優れた防滑特性を有することを確認すべく、有限要素法（ＦＥＭ）解析を行なったので、その結果について、図３〜図８を用いて説明する。
【００２７】
図３は、上記アウトソール３ｂの有限要素解析用モデルを示す図である。なお、説明の便宜上、図３に示すモデルの各部には図２に示す例の対応部分と同じ参照番号を付し、図３に示すモデルの各部の説明は省略する。
【００２８】
解析にはＰａｍＣｒａｓｈ  ｖ２００６（日本イーエスアイ株式会社）を用いる。解析モデルはシューズソール部、地面に相当する部分およびシューズ上面に均等に荷重を加えるための剛体面の３つの部分から構成される。ここで解析モデルの要素サイズは０．２ｍｍとする。シューズのソール部は８節点ソリッド要素，シューズのソール部上面の剛体面および地面は４節点シェル要素を用いる。シューズのソール部の上面と剛体の接触は、接触タイプ３６（Ｓｅｌｆ−ｉｍｐａｃｔ  Ｎｏｄｅ−ｔｏ−Ｓｅｇｍｅｎｔ  Ｃｏｎｔａｃｔ  ｗｉｔｈ  Ｅｄｇｅ  Ｔｒｅａｔｍｅｎｔ）を用い、地面と接触面３４との接触は、接触タイプ３４（Ｎｏｎ−Ｓｙｍｍｅｔｒｉｃ  Ｎｏｄｅ−ｔｏ−Ｓｅｇｍｅｎｔ  Ｃｏｎｔａｃｔ  ｗｉｔｈ  Ｅｄｇｅ  Ｔｒｅａｔｍｅｎｔ）を用いる。荷重条件としては、矢印４で示す斜め方向の荷重（Ｘ方向に＋０．１７６３３ｋＮ、Ｙ方向に−１．０ｋＮ）を剛体面の重心位置に与える。防滑特性のパラメータは地面と接触面３４との接触力とする。
【００２９】
図４と図５に、図３に示すモデルの変形挙動例を示す。図４には、図３の向きと反対の向きに荷重を作用させた場合の変形挙動例を示し、図５には、図３の向きと同じ向きに荷重を作用させた場合の変形挙動例を示す。
【００３０】
図４に示すように、図３の向きと反対の向きに荷重を作用させると、アウトソール３ｂの各凸部３１が図の右側に倒れたような状態となり、接触面３４と地面とが接触した際にこれらの間に作用する接触力は矢印５で示す方向に作用することとなる。つまり、図４の例では、接触面３４と地面との間に作用する接触力の向きが、矢印４で示す荷重の向きと同じ向きになる。そのため、荷重を各凸部３１で充分に受けることができず、良好な防滑特性は得られない。
【００３１】
それに対し、図５に示すように、ベース部３０の表面の垂線に対する第１側壁３２の傾斜角度（テーパ角度：θ１）を第２側壁３３の傾斜角度よりも大きくした場合には、第１側壁３２から第２側壁３３に向かう方向である矢印４で示す方向に荷重を作用させた際に、各凸部３１が図の右側に倒れずにベース部３０を支持した状態となる。その結果、接触力は矢印５で示すように図４の場合とは反対方向に作用することとなり、接触面３４と地面との間に作用する接触力の向きが荷重の向きとは反対の向きとなる。このため、図５の例によれば良好な防滑特性が得られる。
【００３２】
以上の解析結果より、装着者が図２に示す形状の部分を含むアウトソール３ｂを備えたスポーツ用シューズ１を装着して動作を行なった際に、上記凸部３１に加わる荷重の向きが第１側壁３２から第２側壁３３に向かう方向となるように第１側壁３２と第２側壁３３とを配置することにより、良好な防滑特性が得られることがわかる。
【００３３】
次に、本願発明者等は、図３に示すモデルの接触幅Ｗを２ｍｍ、リブ間隔Ｄを１．５ｍｍに固定し、第１側壁３２の傾斜角度である第１角度θ１を１０度から２８度まで変化させて上記接触力の値を算出したので、その結果を図６に示す。
【００３４】
図６に示すように、図３に示す第１角度θ１を変化させることで、接触力の値も変化することがわかる。この図６では、縦軸に接触力の絶対値を記載しており、図６に示す各接触力は、図３に示す矢印５の方向、つまり荷重の向きと反対方向に作用する。また、第１角度θ１を０（ゼロ）度よりも大きい角度とすることで、上記接触力を荷重の向きと反対方向に作用させることができることも確認している。なお、図６における「移動量」とは、シューズソール部上面の剛体部の重心位置のＸ方向の移動量のことである。
【００３５】
また、本願発明者等は、接触幅Ｗを１ｍｍ〜６ｍｍ、リブ間隔Ｄを０．５ｍｍ〜３ｍｍに変化させたモデルを作成し、接触力の値がどのように変化するかについても検討した。たとえば、接触幅Ｗの総和が６ｍｍになるように凸部３１の個数を決めた場合、接触幅Ｗは１ｍｍ、１．５ｍｍ、２ｍｍ、３ｍｍ、６ｍｍの５種類となり、リブ間隔Ｄは０．５ｍｍ〜３ｍｍまで０．５ｍｍ刻みの６種類となる。この検討結果を図７と図８に示す。なお、図７と図８において、黒丸の大きさは接触力の大きさを示している。
【００３６】
図７および図８に示すように、リブ間隔Ｄを変化させた場合も、接触力の値が変化することがわかる。また、接触幅Ｗを変化させた場合も、接触力の値は変化する。したがって、リブ間隔Ｄを接触幅Ｗに応じて適切に調整することで、接触力の値を所望の値とすることができ、優れた防滑特性を実現することができる。
【００３７】
図７および図８に示すように、たとえば、リブ間隔Ｄと接触幅Ｗを同程度の値とした場合に、接触力の値が大きくなり、優れた防滑特性を期待できる。より詳しくは、リブ間隔Ｄと接触幅Ｗを同じ値あるいはその±０．５ｍｍの範囲内（たとえばリブ間隔Ｄと接触幅Ｗを１．５ｍｍとした場合には、図７において斜線を施した領域の範囲内）の値とした場合に、優れた防滑特性を期待できる。ここで、上記の「±０．５ｍｍ」という値は、シューズのソール部を実際に成形した場合に寸法がばらつき得ると考えられる値である。また、リブ間隔Ｄと接触幅Ｗを、とともに１ｍｍ以上３ｍｍ以下の範囲内の値とした場合も、優れた防滑特性を期待できる。さらに、リブ間隔Ｄや接触幅Ｗのみならず上記第１角度θ１をも適切に調整することで、容易に接触力の値を調整して防滑特性を調整することができる。
【００３８】
次に、本願発明等は、独自の手法で、運動時に人の足の裏に加わる力を算出したので、その結果を図９（ａ）〜（ｃ）〜図１１に示す。
【００３９】
図９（ａ）は、前方に移動中にストップした場合の力の方向を矢印で示した図であり、図９（ｂ）は、サイドステップで右側に移動中にストップした場合の力の方向を矢印で示した図であり、図９（ｃ）は、前方に走行中の場合の力の方向を矢印で示した図である。なお、各図において曲線で囲まれた領域は、力の大きさが同じである領域を示し、最も外側の領域内に複数の領域が存在する部分もあるが、内側の領域ほど作用する力の大きさが大きい。
【００４０】
図９（ａ）〜（ｃ）に示すように、各動作時の人の足の裏に加わる力の方向は様々なものであることがわかる。たとえば図９（ａ）では、アウトソールのベース部の内側部１７から外側部１８に向かう横方向の力が少なく、該ベース部の踵側部１６から爪先側部１５に向かう縦方向あるいは斜め方向の力が多くなる。それに対し、図９（ｂ）では、アウトソールのベース部の内側部１７から外側部１８に向かう横方向の力が多く、上記ベース部の踵側部１６から爪先側部１５に向かう縦方向あるいは斜め方向の力が少なくなる。図９（ｃ）では、上記ベース部の爪先側部１５から踵側部１６に向かう縦方向あるいは斜め方向の力が多くなる。
【００４１】
本実施の形態の凸部３１を設けるには、上記の各図の矢印と直交する方向に延在するようにアウトソールのベース部の底面に上述の凸部３１を突設し、かつ上記矢印の方向に第１と第２側壁３２，３３が順次並ぶように複数の凸部３１を配列すればよい。それにより、スポーツ用シューズの防滑特性を向上することができる。
【００４２】
なお、上記凸部３１は、アウトソールのベース部の底面の少なくとも一部に設置することで、その部分の優れた防滑効果を期待できる。特に、各動作中に大きな力が加わる箇所に各動作用の凸部３１を設けることで、全ての動作に対し防滑特性の優れたスポーツ用シューズ１が得られる。
【００４３】
次に、図１０（ａ），（ｂ）と図１１とを用いて、本実施の形態のスポーツ用シューズのアウトソールのベース部の底面における上記凸部３１の配置例について説明する。
【００４４】
図１０（ａ），（ｂ）に示すように、アウトソールのベース部は、爪先側部１５と、踵側部１６と、装着者の足の第１指側に位置する内側部１７と、装着者の足の第５指側に位置する外側部１８とを有する。そして、爪先側部１５から踵側部１６に向かう縦方向（長さ方向）に爪先側部１５の先端からベース部の最大長さの２０％〜４０％の範囲内であって、かつ内側部１７から外側部１８に向かう横方向（幅方向）に内側部１７の端部からベース部の最大幅の６０％の範囲内の第１領域８に、凸部３１を設けることが考えられる。
【００４５】
上記第１領域８は、図１０（ａ）に示す装着者の足の骨との関係では、横方向には第１指〜第３指にわたって延在し、縦方向には第１指〜第３指の基節骨１２ａ，１２ｂ，１２ｃから中足骨１３ａ，１３ｂ，１３ｃにわたって延在する領域である。
【００４６】
上記第１領域８に凸部３１を設ける際には、ベース部の横方向の中心線と凸部３１の長手（延在）方向とのなす角度θ３が、たとえば０（ゼロ）度〜１２０度となるようにベース部の底面に横方向に複数の凸部３１を並設すればよい。
【００４７】
また、上記縦方向にベース部の爪先側部１５の先端からベース部の最大長さの２０％〜５０％の範囲内であって、かつ横方向にベース部の内側部１８の端部からベース部の最大幅の６０％の位置から、外側部１８に達する範囲内の第２領域９に、凸部３１を設けてもよい。
【００４８】
上記第２領域９は、図１０（ａ）に示す装着者の足の骨との関係では、横方向には第３指〜第５指にわたって延在し、縦方向には第３指の中節骨１１ｃから基節骨１２ｃを経て中足骨１３ｃにわたり、また第４指の末節骨１０ｄから中節骨１１ｄおよび基節骨１２ｄを経て中足骨１３ｄにわたり、第５指の末節骨１０ｅから中節骨１１ｅおよび基節骨１２ｅを経て中足骨１３ｅにわたる領域である。
【００４９】
上記第２領域９に凸部３１を設ける際には、ベース部の横方向の中心線と凸部３１の長手（延在）方向とのなす角度θ３が、たとえば−１３５度〜４５度となるようにベース部の底面に横方向に複数の凸部３１を並設すればよい。
【００５０】
なお、上記第１と第２領域８，９の双方に所定の角度で凸部３１を設けてもよいが、第１と第２領域８，９の一方に凸部３１を設けてもよい。また、凸部３１の形状は上記以外の任意の形状とすることができる。さらに、アウトソールのベース部において、上記第１と第２領域８，９とは異なる形状および位置の領域に、凸部３１を設けてもよい。
【００５１】
以上のように本発明の実施の形態について説明を行なったが、上述の実施の形態を様々に変形することも可能である。また、本発明の範囲は上述の実施の形態に限定されるものではない。本発明の範囲は、特許請求の範囲によって示され、特許請求の範囲と均等の意味および範囲内でのすべての変更を含むことが意図される。
【図面の簡単な説明】
【００５２】
【図１】本発明の１つの実施の形態におけるスポーツ用シューズの斜視図である。
【図２】本発明の１つの実施の形態におけるスポーツ用シューズのアウトソールの部分断面図である。
【図３】有限要素解析用のモデルの１例を示す図である。
【図４】有限要素解析用のモデルに反対方向から荷重を付加した場合のモデルの変形状態を示す図である。
【図５】有限要素解析用のモデルに図３に示す方向から荷重を付加した場合のモデルの変形状態を示す図である。
【図６】接触力と第１側壁の傾斜角度と移動量との関係を示す図である。
【図７】接触幅とリブ間隔と接触力の大きさとの関係を示す図である。
【図８】接触幅とリブ間隔と接触力の大きさとの関係を示す図である。
【図９】（ａ）は、前方に移動中にストップした場合の足裏に作用する力の方向を矢印で示した図であり、（ｂ）は、サイドステップで右側に移動中にストップした場合の足裏に作用する力の方向を矢印で示した図であり、（ｃ）は、前方に走行中の場合の足裏に作用する力の方向を矢印で示す図である。
【図１０】（ａ）は、人の足および骨格を併記したアウトソールのベース部底面から見た外形図であり、（ｂ）は、アウトソールのベース部底面から見た凸部形成箇所の一例を示す図である。
【図１１】人の足の骨格にその名称を併記した図である。
【符号の説明】
【００５３】
１  スポーツ用シューズ、２  アッパー部、３  ソール部、３ａ  ミッドソール、３ｂ  アウトソール、４，５，７  矢印、６  フレックスライン、８  第１領域、９  第２領域、１０ｄ，１０ｅ  末節骨、１１ｃ，１１ｄ，１１ｅ  中節骨、１２ａ，１２ｂ，１２ｃ，１２ｄ，１２ｅ  基節骨、１３ａ，１３ｂ，１３ｃ，１３ｄ，１３ｅ  中足骨、１５  爪先側部、１６  踵側部、１７  内側部、１８  外側部、３０  ベース部、３１  凸部、３２  第１側壁、３３  第２側壁、３４  接触面。
【図１】
0005083660.tif 000002
【図２】
0005083660.tif 000003
【図６】
0005083660.tif 000004
【図３】
0005083660.tif 000005
【図４】
0005083660.tif 000006
【図５】
0005083660.tif 000007
【図７】
0005083660.tif 000008
【図８】
0005083660.tif 000009
【図９】
0005083660.tif 000010
【図１０】
0005083660.tif 000011
【図１１】
0005083660.tif 000012